(57)【要約】【課題】熱交換器を通過する空気を水平方向に吹き出すファンを備えた冷凍装置の熱源ユニットにおいて、閉鎖弁の操作等の作業を容易に行えるようにする。【解決手段】熱源ユニット（２）は、少なくとも１つの閉鎖弁（２３、２４）を有する。閉鎖弁（２３、２４）は、ケーシング（６０）の正面側又は背面側に向かって開口する接続ポート（２３ｂ、２４ｂ）を有する。閉鎖弁（２３、２４）は、ケーシング（６０）の天面、底面、正面、背面、左側面及び右側面で定義される仮想直方体（Ｃ）からはみ出さない状態で配置されている。ケーシング（６０）の正面、背面、左側面及び右側面を形成する周囲板（６３〜６６）は、ケーシング（６０）の左側面及び右側面のうち閉鎖弁（２３、２４）に近いほうの面を形成する第１部分（６５ａ）の一部が切り欠かれている。熱源ユニット（２）は、第１部分（６５ａ）の切り欠き（６０ａ）を覆う部材を有しない。【選択図】図２
2019120449.tif 000002
【特許請求の範囲】
【請求項１】
ケーシング（６０）と、
前記ケーシングの内部空間（Ｓ）に配置されており、冷媒と空気との熱交換を行う熱交換器（２２）と、
前記ケーシングの内部空間に配置されており、前記熱交換器を通過する前記空気を水平方向に吹き出すファン（２７）と、
前記ケーシングの正面側又は背面側に向かって開口する接続ポート（２３ｂ、２４ｂ）を有する、少なくとも１つの閉鎖弁（２３、２４）と、
を備えており、
前記閉鎖弁は、前記ケーシングの天面、底面、正面、背面、左側面及び右側面で定義される仮想直方体（Ｃ）からはみ出さない状態で配置されており、
前記ケーシングの正面、背面、左側面及び右側面を形成する周囲板（６３〜６６）は、前記ケーシングの左側面及び右側面のうち前記閉鎖弁に近いほうの面を形成する第１部分（６５ａ）の一部が切り欠かれており、
前記第１部分の切り欠き（６０ａ）を覆う部材を有していない、
冷凍装置（１）の熱源ユニット（２）。
【請求項２】
前記周囲板は、前記ケーシングの正面及び背面のうち前記接続ポートに近いほうの面を形成する第２部分（６５ｂ、６６）の一部が切り欠かれており、
前記第２部分の切り欠き（６０ｂ）は、前記第１部分の切り欠きと連続している、
請求項１に記載の冷凍装置の熱源ユニット。
【請求項３】
前記周囲板は、前記第１部分及び前記第２部分の両方を形成する第１周囲板を有している、
請求項１又は２に記載の冷凍装置の熱源ユニット。
【請求項４】
前記周囲板は、前記第１部分を形成する第２周囲板と、前記第２部分を形成する第３周囲板と、を有している、
請求項１又は２に記載の冷凍装置の熱源ユニット。
【請求項５】
前記ケーシングに設けられており、前記ケーシングの内部空間と前記閉鎖弁が配置される閉鎖弁配置空間（Ｔ）とを仕切る空間形成部材（７０）をさらに備えており、
前記第１部分の切り欠きは、前記閉鎖弁配置空間に面している、
請求項１〜４のいずれか１項に記載の冷凍装置の熱源ユニット。
【請求項６】
前記空間形成部材は、前記閉鎖弁を支持する閉鎖弁支持部材（７１）を有している、
請求項５に記載の冷凍装置の熱源ユニット。
【請求項７】
前記閉鎖弁支持部材は、前記接続ポートが前記ケーシングの正面側に向かって開口している場合には、前記ケーシングの背面と前記閉鎖弁との間に位置し、前記接続ポートが前記ケーシングの背面側に向かって開口している場合には、前記ケーシングの正面と前記閉鎖弁との間に位置している、
請求項６に記載の冷凍装置の熱源ユニット。
【請求項８】
前記空間形成部材は、前記閉鎖弁の上方に位置する閉鎖弁上方部材（７２）を有している、
請求項５〜７のいずれか１項に記載の冷凍装置の熱源ユニット。
【発明の詳細な説明】
【技術分野】
【０００１】
熱交換器を通過する空気を水平方向に吹き出すファンを備えた冷凍装置の熱源ユニット
【背景技術】
【０００２】
従来より、特許文献１（特開２００９−２４９０３号公報）に示すように、内部空間に熱交換器を通過する空気を水平方向に吹き出すファンが設けられた冷凍装置の熱源ユニットがある。熱源ユニットの側面には、側方に突出した状態で閉鎖弁及び閉鎖弁カバーが設けられている。
【発明の概要】
【発明が解決しようとする課題】
【０００３】
上記従来の熱源ユニットでは、閉鎖弁カバーを熱源ユニットの側面から取り外さなければ、閉鎖弁の操作等の作業を行うことができない。
【課題を解決するための手段】
【０００４】
第１の観点にかかる冷凍装置の熱源ユニットは、ケーシングと、冷媒と空気との熱交換を行う熱交換器と、熱交換器を通過する空気を水平方向に吹き出すファンと、少なくとも１つの閉鎖弁と、を有している。熱交換器及びファンは、ケーシングの内部空間に配置されている。閉鎖弁は、ケーシングの正面側又は背面側に向かって開口する接続ポートを有している。そして、閉鎖弁は、ケーシングの天面、底面、正面、背面、左側面及び右側面で定義される仮想直方体からはみ出さない状態で配置されている。ケーシングの正面、背面、左側面及び右側面を形成する周囲板は、ケーシングの左側面及び右側面のうち閉鎖弁に近いほうの面を形成する第１部分の一部が切り欠かれている。この熱源ユニットは、第１部分の切り欠きを覆う部材を有していない。
【０００５】
ここでは、閉鎖弁カバーのようなケーシングの側面から側方に突出した状態で設けられる部材を取り外すことなく、ケーシングの第１部分に形成された切り欠きから閉鎖弁にアクセスすることができるため、閉鎖弁の操作等の作業を容易に行うことができる。
【０００６】
第２の観点にかかる冷凍装置の熱源ユニットは、第１の観点にかかる熱源ユニットにおいて、周囲板が、ケーシングの正面及び背面のうち接続ポートに近いほうの面を形成する第２部分の一部が切り欠かれている。第２部分の切り欠きは、第１部分の切り欠きと連続している。
【０００７】
ここでは、ケーシングの第１部分及び第２部分にわたって形成された切り欠きから閉鎖弁の接続ポートにアクセスすることができるため、冷媒連絡管を閉鎖弁に接続する作業を容易に行うことができる。
【０００８】
第３の観点にかかる冷凍装置の熱源ユニットは、第１又は第２の観点にかかる熱源ユニットにおいて、周囲板が、第１部分及び第２部分の両方を形成する第１周囲板を有している。
【０００９】
第４の観点にかかる冷凍装置の熱源ユニットは、第１又は第２の観点にかかる熱源ユニットにおいて、周囲板が、第１部分を形成する第２周囲板と、第２部分を形成する第３周囲板と、を有している。
【００１０】
第５の観点にかかる冷凍装置の熱源ユニットは、第１〜第４の観点のいずれかにかかる熱源ユニットにおいて、ケーシングに設けられており、ケーシングの内部空間と閉鎖弁が配置される閉鎖弁配置空間とを仕切る空間形成部材をさらに有している。第１部分の切り欠きは、閉鎖弁配置空間に面している。
【００１１】
ここでは、第１部分の切り欠きから閉鎖弁配置空間にアクセスすることができ、閉鎖弁の操作等の作業を容易に行うことができる。
【００１２】
第６の観点にかかる冷凍装置の熱源ユニットは、第５の観点にかかる熱源ユニットにおいて、空間形成部材が、閉鎖弁を支持する閉鎖弁支持部材を有している。
【００１３】
第７の観点にかかる冷凍装置の熱源ユニットは、第６の観点にかかる熱源ユニットにおいて、閉鎖弁支持部材が、接続ポートがケーシングの正面側に向かって開口している場合には、ケーシングの背面と閉鎖弁との間に位置し、接続ポートがケーシングの背面側に向かって開口している場合には、ケーシングの正面と閉鎖弁との間に位置している。
【００１４】
ここでは、閉鎖弁支持部材によってケーシングの内部空間と閉鎖弁配置空間とを前後方向に仕切ることができる。
【００１５】
第８の観点にかかる冷凍装置の熱源ユニットは、第５〜第７の観点のいずれかにかかる熱源ユニットにおいて、空間形成部材が、閉鎖弁の上方に位置する閉鎖弁上方部材を有している。
【００１６】
ここでは、閉鎖弁上方部材によってケーシングの内部空間と閉鎖弁配置空間とを上下方向に仕切ることができる。
【図面の簡単な説明】
【００１７】
【図１】本開示の一実施形態にかかる熱源ユニットとしての室外ユニットが採用された冷凍装置としての空気調和装置の概略構成図である。
【図２】室外ユニットの外観を示す斜視図である。
【図３】室外ユニットの平面図（閉鎖弁を破線で図示）である。
【図４】室外ユニットの平面図（天板を取り除いて図示）である。
【図５】室外ユニットの右側面図である。
【図６】図５から天板及び右側板を取り除いた状態を示す図である。
【図７】室外ユニットの背面図（右側面寄りの部分のみを図示）である。
【図８】図７から天板及び右側板を取り除いた状態を示す図である。
【図９】ケーシングの平面視における配線孔と閉鎖弁との位置関係を示す図である。
【図１０】閉鎖弁を示す図（弁操作部が上方を向いた状態を図示）である。
【発明を実施するための形態】
【００１８】
以下、冷凍装置の熱源ユニットの実施形態について、図面に基づいて説明する。
【００１９】
（１）空気調和装置の構成
図１は、本開示の一実施形態にかかる熱源ユニットとしての室外ユニット２が採用された冷凍装置としての空気調和装置１の概略構成図である。
【００２０】
＜全体＞
冷凍装置としての空気調和装置１は、蒸気圧縮式の冷凍サイクルを行うことによって、建物等の室内の冷房を行うことが可能な装置である。空気調和装置１は、主として、熱源ユニットとしての室外ユニット２と、利用ユニットとしての室内ユニット３と、室外ユニット２と室内ユニット３とを接続する液冷媒連絡管４及びガス冷媒連絡管５と、を有している。そして、空気調和装置１の蒸気圧縮式の冷媒回路１０は、室外ユニット２と、室内ユニット３とが冷媒連絡管４、５を介して接続されることによって構成されている。
【００２１】
＜室内ユニット＞
室内ユニット３は、建物内に設置されている。室内ユニット３は、上記のように、液冷媒連絡管４及びガス冷媒連絡管５を介して室外ユニット２に接続されており、冷媒回路１０の一部を構成している。室内ユニット３は、主として、室内膨張弁３１と、室内熱交換器３２と、を有している。
【００２２】
室内膨張弁３１は、運転時に冷媒を冷凍サイクルにおける低圧まで減圧しながら室内熱交換器３２を流れる冷媒の流量を調節する電動膨張弁であり、液冷媒連絡管４と室内熱交換器３２の液側端との間に接続されている。
【００２３】
室内熱交換器３２は、運転時に冷凍サイクルにおける低圧の冷媒の蒸発器として機能して室内空気を冷却する熱交換器であり、その液側端が室内膨張弁３１に接続され、ガス側端がガス冷媒連絡管５に接続されている。
【００２４】
また、室内ユニット３は、室内ユニット３内に室内空気を吸入して、室内熱交換器３２において冷媒と熱交換させた後に、室内熱交換器３２を通過する空気を供給空気として室内に供給するための室内ファン３３を有している。すなわち、室内ユニット３は、室内熱交換器３２を流れる冷媒の加熱源としての室内空気を室内熱交換器３２に送るファンとして、室内ファン３３を有している。室内ファン３３は、室内ファンモータ３３ａによって駆動される。
【００２５】
さらに、室内ユニット３は、室内ユニット３を構成する各部の動作を制御する室内側制御部として機能する室内側電装品アセンブリ３０を有している。室内側電装品アセンブリ３０は、制御基板等の電装品を有しており、室外ユニット２との間で制御信号等の通信を行うことができるようになっている。
【００２６】
＜室外ユニット＞
室外ユニット２は、建物外に設置されている。室外ユニット２は、上記のように、液冷媒連絡管４及びガス冷媒連絡管５を介して室内ユニット３に接続されており、冷媒回路１０の一部を構成している。室外ユニット２は、主として、圧縮機２１と、室外熱交換器２２と、第１閉鎖弁としての液側閉鎖弁２３と、第２閉鎖弁としてのガス側閉鎖弁２４と、を有している。
【００２７】
圧縮機２１は、運転時に冷凍サイクルにおける低圧の冷媒を高圧になるまで圧縮する機器である。ここでは、圧縮機２１として、容積式の圧縮要素（図示せず）が圧縮機モータ２１ａによって回転駆動される密閉式構造の圧縮機が採用されている。圧縮機２１の吐出側端は、室外熱交換器２２のガス側端に接続されており、圧縮機２１の吸入側端は、ガス側閉鎖弁２４に接続されている。ここで、圧縮機２１の吸入側端とガス側閉鎖弁２４とは、室外側ガス冷媒管２６によって接続されている。
【００２８】
室外熱交換器２２は、運転時に冷凍サイクルにおける高圧の冷媒の放熱器として機能する熱交換器であり、そのガス側端が圧縮機２１の吐出側端に接続されており、液側端が液側閉鎖弁２３に接続されている。ここで、室外熱交換器２２の液側端と液側閉鎖弁２３とは、室外側液冷媒管２５によって接続されている。
【００２９】
液側閉鎖弁２３及びガス側閉鎖弁２４は、外部の機器・配管（具体的には、液冷媒連絡管４及びガス冷媒連絡管５）との接続部に設けられた手動弁である。液側閉鎖弁２３は、その室外側端である室外側接続ポート２３ａが室外側液冷媒管２５に接続されており、室内側端である室内側接続ポート２３ｂが液冷媒連絡管４に接続されている。ガス側閉鎖弁２４は、その室外側端である室外側接続ポート２４ａが室外側ガス冷媒管２６に接続されており、室内側端である室内側接続ポート２４ｂがガス冷媒連絡管５に接続されている。また、液側閉鎖弁２３及びガス側閉鎖弁２４にはそれぞれ、冷媒充填時にチャージホースが接続されるサービスポート２３ｃ、２４ｃが設けられている。
【００３０】
また、室外ユニット２は、室外ユニット２内に室外空気を吸入して、室外熱交換器２２において冷媒と熱交換させた後に、室外熱交換器２２を通過する空気を室外に吹き出すための室外ファン２７を有している。すなわち、室外ユニット２は、室外熱交換器２２を流れる冷媒の冷却源としての室外空気を室外熱交換器２２に送るファンとして、室外ファン２７を有している。室外ファン２７は、室外ファンモータ２７ａによって駆動される。
【００３１】
さらに、室外ユニット２は、室外ユニット２を構成する各部の動作を制御する室外側制御部として機能する室外側電装品アセンブリ２０を有している。室外側電装品アセンブリ２０は、制御基板等の電装品を有しており、室内ユニット３（ここでは、室内側電装品アセンブリ３０）との間で制御信号等の通信を行うことができるようになっている。
【００３２】
＜冷媒連絡管＞
冷媒連絡管４、５は、空気調和装置１を建物等の設置場所に設置する際に、現地にて施工される冷媒管である。液冷媒連絡管４の一端は、室外ユニット２の液側閉鎖弁２３の室内側接続ポート２３ｂに接続され、液冷媒連絡管４の他端は、室内ユニット３の室内膨張弁３１に接続されている。ガス冷媒連絡管５の一端は、室外ユニット２のガス側閉鎖弁２４の室内側接続ポート２４ｂに接続され、ガス冷媒連絡管５の他端は、室内ユニット３の室内熱交換器３２のガス側端に接続されている。
【００３３】
（２）室外ユニットの構成
図２は、室外ユニット２の外観を示す斜視図である。図３は、室外ユニット２の平面図（閉鎖弁２３、２４を破線で図示）である。図４は、室外ユニット２の平面図（天板６２を取り除いて図示）である。図５は、室外ユニット２の右側面図である。図６は、図５から天板６２及び右側板６５を取り除いた状態を示す図である。図７は、室外ユニット２の背面図（右側面寄りの部分のみを図示）である。図８は、図７から天板６２及び右側板６５を取り除いた状態を示す図である。図９は、ケーシング６０の平面視における配線孔７２ａ、７２ｂと閉鎖弁２３、２４との位置関係を示す図である。図１０は、閉鎖弁２３を示す図（弁操作部２３ｇが上方を向いた状態を図示）である。尚、以下の説明において、「上」、「下」、「左」、「右」、「前」、「後」、「横」、「天面」、「底面」、「正面」、「背面」とは、特にことわりのない限り、図２に示される室外ユニット２の斜め左方を向く面を「正面」とした場合の方向や面を意味する。
【００３４】
＜基本構造＞
まず、室外ユニット２の基本構造について説明する。
【００３５】
室外ユニット２は、略直方体箱状のケーシング６０と、ケーシング６０の内部空間Ｓに配置されており冷媒と空気との熱交換を行う熱交換器としての室外熱交換器２２と、ケーシング６０の内部空間Ｓに配置されており室外熱交換器２２を通過する空気を水平方向に吹き出すファンとしての室外ファン２７と、を有する構造（いわゆる「トランク型構造」）の熱源ユニットである。室外ユニット２は、主として、ケーシング６０と、室外ファン２７と、圧縮機２１や室外熱交換器２２等の機器、閉鎖弁２３、２４等の弁及び冷媒管２５、２６等の冷媒管を含んでおり冷媒回路１０の一部を構成する冷媒回路構成部品と、室外側電装品アセンブリ２０と、を有している。
【００３６】
ケーシング６０は、主として、底面板６１と、天面板６２と、ケーシング６０の正面、背面、左側面及び右側面を形成する周囲板（正面板６３、左側板６４、右側板６５、及び、背面板６６）と、を有している。
【００３７】
底面板６１は、ケーシング６０の底面を形成する横長の板状部材である。底面板６１は、ケーシング６０の平面視において、左後側の角部及び右後側の角部が面取りされたような長方形状をなしている。底面板６１の下面には、現地設置面に固定される固定脚６７が設けられている。
【００３８】
天面板６２は、ケーシング６０の天面を形成する横長の板状部材である。天面板６２は、底面板６１と同様に、ケーシング６０の平面視において、左後側の角部及び右後側の角部が面取りされたような長方形状をなしている。天面板６２は、正面板６３、左側板６４、右側板６５及び背面板６６にネジ等により固定されている。
【００３９】
正面板６３は、ケーシング６０の周囲板の１つである。正面板６３は、ケーシング６０の正面、左側面の正面側端の部分及び右側面の正面側端の部分を形成する板状部材である。正面板６３は、その下部が底面板６１にネジ等により固定されている。正面板６３の左側面寄りの部分には、室外ファン２７によってケーシング６０の背面側及び左側面側から内部空間Ｓに取り込まれた空気を外部に吹き出すための吹出口６３ａが設けられている。吹出口６３ａには、ファングリル６３ｂが設けられている。
【００４０】
左側板６４は、ケーシング６０の左側面（ここでは、左側面の正面側端の部分を除く）及び背面の左側面側端の部分を形成する板状部材であり、ケーシング６０の周囲板の一部を構成している。左側板６４は、その下部が底面板６１にネジ等により固定されている。左側板６４には、室外ファン２７によってケーシング６０の内部空間Ｓに取り込まれる空気の吸入口６４ａが形成されている。
【００４１】
右側板６５は、ケーシング６０の右側面（ここでは、右側面の正面側端の部分を除く）及び背面の右側面側端の部分を形成する板状部材であり、ケーシング６０の周囲板の一部を構成している。右側板６５は、その下部が底面板６１にネジ等により固定されている。
【００４２】
背面板６６は、ケーシング６０の背面（ここでは、背面の右側面側端の部分及び左側面寄りの部分を除く）を形成する板状部材であり、ケーシング６０の周囲板の一部を構成している。背面板６６は、その下部が底面板６１にネジ等により固定されている。背面板６６には、室外ファン２７によってケーシング６０の内部空間Ｓに取り込まれる空気の吸入口６６ａが形成されている。
【００４３】
ケーシング６０内には、仕切板６８が設けられている。仕切板６８は、底面板６１上を上下方向及び前後方向に延びる板状部材であり、ケーシング６０の内部空間Ｓを左右２つの空間（ファン室Ｓ１、機械室Ｓ２）に仕切るように配置されている。仕切板６８は、ケーシング６０の平面視において、正面板６３の吹出口６３ａの右側の部分から背面側に向かって延びており、ケーシング６０の左側面から背面に沿うように配置された略Ｌ字形状の室外熱交換器２２の右端部まで達している。仕切板６８は、その下部が底面板６１にネジ等により固定されており、前部が正面板６３にネジ等により固定されており、後部が室外熱交換器２２の右端部にネジ等により固定されている。
【００４４】
圧縮機２１は、縦型円筒形状の圧縮機であり、機械室Ｓ２に配置されている。圧縮機２１は、底面板６１上に設けられている。
【００４５】
室外熱交換器２２は、ケーシング６０の平面視において、略Ｌ字形状を有する熱交換器であり、ファン室Ｓ１に配置されている。室外熱交換器２２は、ケーシング６０の左側面から背面に沿うように底面板６１上に設けられている。
【００４６】
室外ファン２７は、プロペラファンであり、ファン室Ｓ１に配置されている。室外ファン２７は、室外熱交換器２２の前側において、吹出口６３ａに対向するように設けられている。室外ファンモータ２７ａは、室外ファン２７と室外熱交換器２２との前後方向間に設けられている。
【００４７】
室外側電装品アセンブリ２０は、制御基板等の電装品が集合した部品であり、機械室Ｓ２に配置されている。室外側電装品アセンブリ２０は、機械室Ｓ２の上部に設けられている。
【００４８】
また、図４、図６及び図８では図示を省略するが、圧縮機２１、室外熱交換器２２及び閉鎖弁２３、２４以外の冷媒回路構成部品もケーシング６０の内部空間Ｓに配置されている。
【００４９】
＜閉鎖弁及びその周辺の構造＞
次に、室外ユニット２の閉鎖弁２３、２４及びその周辺の構造について説明する。
【００５０】
液側閉鎖弁２３は、主として、冷媒が流れる流路２３ｅが形成された弁本体２３ｄと、流路２３ｅを開閉する弁体２３ｆと、弁体２３ｆを操作する弁操作部２３ｇと、を有している。具体的には、弁操作部２３ｇが上方を向いた状態を基準にすると、弁本体２３ｄには、略水平方向を向く流路２３ｅが形成されており、流路２３ｅの一端に対応する開口である室外側接続ポート２３ａが形成され、流路２３ｅの他端に対応する開口である室内側接続ポート２３ｂが形成されている。また、弁本体２３ｄには、流路２３ｅの途中から上方向に突出する弁操作部２３ｇ、及び、流路２３ｅ及び弁操作部２３ｇに交差する方向に突出するサービスポート２３ｃが設けられている。弁操作部２３ｇ内には、弁体２３ｆが上下方向に移動可能に螺合されている。弁体２３ｆの上端には、六角レンチやドライバー等の工具が係合する凹部や溝部からなる係合部２３ｈが形成されている。弁操作部２３ｇには、弁蓋２３ｉが着脱可能に螺合されている。サービスポート２３ｃは、その先端がチャージホース等を接続可能なノズル部となっている。ここで、弁操作部２３ｇの中心線を２３ｐとし、サービスポート２３ｃの中心線を２３ｑとし、室内側接続ポート２３ｂの中心線を２３ｒとする。
【００５１】
ガス側閉鎖弁２４は、液側閉鎖弁２３よりも大径の閉鎖弁であり、その構造は液側閉鎖弁２３と同様である。このため、ここでは、ガス側閉鎖弁２４の構造については、液側閉鎖弁２３の各部を示す符号２３ａ〜２３ｉ、２３ｐ〜２３ｒの代わりに符号２４ａ〜２４ｉ、２４ｐ〜２４ｒを付して、各部の説明を省略する。
【００５２】
液側閉鎖弁２３及びガス側閉鎖弁２４は、ケーシング６０の天面、底面、正面、背面、左側面及び右側面で定義される仮想直方体Ｃからはみ出さない状態で配置されている。ここで、仮想直方体Ｃとは、ケーシング６０の天面及び底面を前後方向及び左右方向に仮想的に延長した面（ここでは、ケーシング６０の天面及び底面の左後側の角部及び右後側の角部の面取りを無視して延長した面）と、ケーシング６０の正面及び背面を上下方向及び左右方向に仮想的に延長した面と、ケーシング６０の左側面及び右側面を上下方向及び前後方向に仮想的に延長した面と、によって形成される直方体形状の空間領域である。
【００５３】
液側閉鎖弁２３及びガス側閉鎖弁２４は、室内側接続ポート２３ｂ、２４ｂの開口がケーシング６０の背面側を向いた状態で、ケーシング６０の右側面の背面寄りの部分に配置されている。すなわち、液側閉鎖弁２３及びガス側閉鎖弁２４は、ケーシング６０のうち右側面の背面寄りの部分を形成する右側板６５に近い部分に配置されている。
【００５４】
右側板６５は、液側閉鎖弁２３及びガス側閉鎖弁２４に近い部分が切り欠かれている。具体的には、右側板６５のうちケーシング６０の右側面を形成する部分である第１部分６５ａの背面寄りの下部６０ａが切り欠かれている。右側板６５のうちケーシング６０の背面を形成する部分である第２部分６５ｂの右側面寄りの下部６０ｂが切り欠かれている。第２部分６５ｂの切り欠き６０ｂは、第１部分６５ａの切り欠き６０ａと連続している。すなわち、右側板６５は、ケーシング６０の右側面を形成する第１部分６５ａ及びケーシング６０の背面を形成する第２部分６５ｂの両方を形成する第１周囲板となっている。そして、第１周囲板としての右側板６５の右後側の角部の下部には、右側面から背面にわたって切り欠き６０ａ、６０ｂが形成されている。ケーシング６０は、右側板６５の切り欠き６０ａ、６０ｂを覆う部材を有しておらず、室外ユニット２を現地に設置した後においては、ケーシング６０から部材を取り外すことなく、切り欠き６０ａ、６０ｂから液側閉鎖弁２３及びガス側閉鎖弁２４が見える状態になっている。
【００５５】
ケーシング６０には、ケーシング６０の内部空間Ｓと液側閉鎖弁２３及びガス側閉鎖弁２４が配置される閉鎖弁配置空間Ｔとを仕切る空間形成部材７０がさらに設けられている。そして、右側板６５の切り欠き６０ａ、６０ｂは、閉鎖弁配置空間Ｔに面している。すなわち、ケーシング６０は、閉鎖弁配置空間Ｔに面する部分が切り欠かれている。
【００５６】
空間形成部材７０は、主として、ケーシング６０の正面と液側閉鎖弁２３及びガス側閉鎖弁２４との前後方向間に位置する閉鎖弁支持部材７１と、液側閉鎖弁２３及びガス側閉鎖弁２４の上方に位置する閉鎖弁上方部材７２と、を有している。
【００５７】
閉鎖弁支持部材７１は、右側板６５の第１部分６５ａの切り欠き６０ａよりも正面寄りの位置において、液側閉鎖弁２３及びガス側閉鎖弁２４を支持する板状部材である。また、閉鎖弁支持部材７１は、ケーシング６０の内部空間Ｓと液側閉鎖弁２３及びガス側閉鎖弁２４が配置される閉鎖弁配置空間Ｔとを前後方向に仕切っている。閉鎖弁支持部材７１は、その下部が底面板６１にネジ等により固定され、右側部が右側板６５にネジ等により固定されている。
【００５８】
閉鎖弁支持部材７１には、液側閉鎖弁２３の室外側接続ポート２３ａが前後方向に貫通する孔７１ａ、及び、ガス側閉鎖弁２４の室外側接続ポート２４ａが前後方向に貫通する孔７１ｂが形成されている。そして、液側閉鎖弁２３及びガス側閉鎖弁２４は、孔７１ａ、７１ｂの周囲から背面側に向かって延びるブラケット７３ａ、７３ｂを介して閉鎖弁支持部材７１に支持されている。
【００５９】
閉鎖弁支持部材７１の左側部は、背面板６６に固定されている。具体的には、背面板６６は、ケーシング６０の背面の右側面側端の部分から正面側に向かって延びる空間仕切部６６ｂを有している。そして、閉鎖弁支持部材７１の左側部は、空間仕切部６６ｂの下部にネジ等により固定されている。このため、空間仕切部６６ｂは、ケーシング６０の内部空間Ｓと液側閉鎖弁２３及びガス側閉鎖弁２４が配置される閉鎖弁配置空間Ｔとを左右方向に仕切っている。
【００６０】
閉鎖弁上方部材７２は、右側板６５の第１部分６５ａの切り欠き６０ａよりも天面寄りの位置において、ケーシング６０の内部空間Ｓと液側閉鎖弁２３及びガス側閉鎖弁２４が配置される閉鎖弁配置空間Ｔとを上下方向に仕切る板状部材である。閉鎖弁上方部材７２は、背面板６６の空間仕切部６６ｂにネジ等により固定されている。
【００６１】
閉鎖弁上方部材７２には、上下に貫通する配線孔７２ａ、７２ｂが形成されている。配線孔７２ａ、７２ｂは、ケーシング６０の内部空間Ｓから電気配線８、９を外部に取り出すための孔である。ここで、電気配線８、９は、配線孔７２ａ、７２ｂの上方に位置する状態でケーシング６０の内部空間Ｓに配置された室外側電装品アセンブリ２０から延びている。具体的には、室外側電装品アセンブリ２０の右側板６５の第１部分６５ａに対向する部分には、端子台２０ａや配線孔２０ｂが設けられており、端子台２０ａからは電源線等の強電の電気配線８が延びており、配線孔２０ｂからは通信線等の弱電の電気配線９が延びている。ここで、電気配線８は、電気配線９よりも線径が太い。そして、配線孔７２ａからは、電気配線８が取り出され、配線孔７２ｂからは、電気配線９が取り出されるようになっている。ここでは、配線孔７２ａ、７２ｂには、コンジット管８ａ、９ａが取り付けられており、電気配線８、９は、コンジット管８ａ、９ａ内を通じて外部に取り出されるようになっている。また、背面板６６の空間仕切部６６ｂには、端子台２０ａ及び配線孔２０ｂよりの下側で、かつ、配線孔７２ａ、７２ｂの上側の位置に、電気配線８、９を端子台２０ａ及び配線孔２０ｂから配線孔７２ａ、７２ｂに導くための配線案内部６６ｃ、６６ｄが、右側板６５側に向かって突出するように形成されている。
【００６２】
閉鎖弁支持部材７１の孔７１ｂは、閉鎖弁支持部材７１の孔７１ａの下方に配置されている。このため、ガス側閉鎖弁２４は、液側閉鎖弁２３の下方に配置されている。また、孔７１ａ、７１ｂは、ケーシング６０の底面寄りの高さ位置にずらして配置されている。具体的には、液側閉鎖弁２３及びガス側閉鎖弁２４がケーシング６０の底面から配線孔７２ａ、７２ｂの中心までの高さＨの３／４倍以下の範囲内に配置されるように、孔７１ａ、７１ｂが配置されている。また、閉鎖弁上方部材７２の配線孔７２ａ、７２ｂのうち配線孔７２ａは、ケーシング６０の平面視において、液側閉鎖弁２３に重ならない状態で配置されている。また、配線孔７２ｂは、ケーシング６０の平面視において、液側閉鎖弁２３の一部に重なっているが、弁操作部２３ｇには重ならない状態で配置されている。
【００６３】
液側閉鎖弁２３及びガス側閉鎖弁２４は、弁操作部２３ｇ、２４ｇが斜め上方を向く傾斜状態で閉鎖弁配置空間Ｔに配置されている。ここでは、弁操作部２３ｇ、２４ｇが、ケーシング６０の正面視又は背面視において、ケーシング６０の右側面側に傾斜した状態で斜め上方を向いている。ここでは、弁操作部２３ｇ、２４ｇは、同じ傾斜角度で斜め上方を向いている。また、液側閉鎖弁２３及びガス側閉鎖弁２４は、弁操作部２３ｇ、２４ｇの中心線２３ｐ、２４ｐをケーシング６０の外方（ここでは、右側面側）に向けて延長した場合に、弁操作部２３ｇ、２４ｇの中心線２３ｐ、２４ｐが閉鎖弁上方部材７２に当たらない状態で閉鎖弁配置空間Ｔに配置されている。しかも、弁操作部２３ｇ、２４ｇの中心線２３ｐ、２４ｐは、ケーシング６０の外方（ここでは、右側面側）に向けて延長した場合に、右側板６５の第１部分６５ａに当たらないようになっており、弁操作部２３ｇ、２４ｇを右側板６５の第１部分６５ａの切り欠き６０ａから見通すことができる。また、液側閉鎖弁２３及びガス側閉鎖弁２４は、サービスポート２３ｃ、２４ｃの中心線２３ｑ、２４ｑをケーシング６０の外方（ここでは、右側面側）に向けて延長した場合に、サービスポート２３ｃ、２４ｃの中心線２３ｑ、２４ｑが閉鎖弁上方部材７２に当たらない状態で閉鎖弁配置空間Ｔに配置されている。ここでは、サービスポート２３ｃ、２４ｃが、ケーシング６０の正面視又は背面視において、ケーシング６０の右側面側に傾斜した状態で斜め下方を向いている。しかも、サービスポート２３ｃ、２４ｃの中心線２３ｑ、２４ｑは、ケーシング６０の外方（ここでは、右側面側）に向けて延長した場合に、右側板６５の第１部分６５ａに当たらないようになっており、サービスポート２３ｃ、２４ｃを右側板６５の第１部分６５ａの切り欠き６０ａから見通すことができる。また、液側閉鎖弁２３及びガス側閉鎖弁２４は、室内側接続ポート２３ｂ、２４ｂの中心線２３ｒ、２４ｒをケーシング６０の外方（ここでは、背面側）に向けて延長した場合に、室内側接続ポート２３ｂ、２４ｂの中心線２３ｒ、２４ｒが閉鎖弁上方部材７２に当たらない状態で閉鎖弁配置空間Ｔに配置されている。ここでは、室内側接続ポート２３ｂ、２４ｂが、ケーシング６０の側面視において、ケーシング６０の背面側に向かって水平方向を向いている。しかも、室内側接続ポート２３ｂ、２４ｂの中心線２３ｒ、２４ｒは、ケーシング６０の外方（ここでは、背面側）に向けて延長した場合に、右側板６５の第２部分６５ｂに当たらないようになっており、右側板６５の第２部分６５ｂの切り欠き６０ｂから見通すことができる。また、ガス側閉鎖弁２４は、その弁操作部２４ｇが液側閉鎖弁２３の弁操作部２３ｇよりも閉鎖弁支持部材７１から遠い方向（ここでは、背面側）にずらして配置されている。また、閉鎖弁支持部材７１の孔７１ｂは、ケーシング６０の平面視において、孔７１ａの左側、すなわち、ケーシング６０の右側面から遠い方向にずらして配置されている。このため、液側閉鎖弁２３とガス側閉鎖弁２４とは、ケーシング６０の平面視において、弁操作部２３ｇ、２４ｇが向く方向（ここでは、右側面側）にずらして配置されている。具体的には、ガス側閉鎖弁２４が、液側閉鎖弁２３の左側、すなわち、ケーシング６０の右側面から遠い方向にずらして配置されている。
【００６４】
（３）特徴
次に、空気調和装置１（冷凍装置）の室外ユニット２（熱源ユニット）の特徴について説明する。
【００６５】
＜Ａ＞
室外熱交換器２２（熱交換器）を通過する空気を水平方向に吹き出す室外ファン２７（ファン）を有するトランク型構造の熱源ユニット２においては、現地設置時の閉鎖弁２３、２４に関わる作業（冷媒連絡管４、５を室内側接続ポート２３ｂ、２４ｂに接続する作業、閉鎖弁２３、２４の操作、サービスポート２３ｃ、２４ｃにチャージホース等を接続する作業）を容易に行えることが望まれている。しかし、ケーシングの側面に側方に突出した状態で閉鎖弁及び閉鎖弁カバーが設けられた従来の熱源ユニットでは、閉鎖弁カバーを取り外さなければ、上記の閉鎖弁に関わる作業を行うことができず、また、熱源ユニットの設置スペースや梱包サイズが大きくなってしまう。
【００６６】
そこで、ここでは、閉鎖弁２３、２４の室内側接続ポート２３ｂ、２４ｂ（接続ポート）をそれぞれ、ケーシング６０の背面側に向かって開口させている（図２、図３及び図５〜図９参照）。しかも、ここでは、閉鎖弁２３、２４を、ケーシング６０の天面、底面、正面、背面、左側面及び右側面で定義される仮想直方体Ｃからはみ出さない状態で配置している（図２及び図３参照）。さらに、ケーシングの正面、背面、左側面及び右側面を形成する周囲板６３〜６６について、ケーシング６０の左側面及び右側面のうち閉鎖弁２３、２４に近いほうの面（ここでは、右側面）を形成する第１部分６５ａの一部（ここでは、背面寄りの下部）を切り欠いて、第１部分６５ａの切り欠き６０ａを別部材で覆わないようにしている（図２及び図５参照）。
【００６７】
ここでは、閉鎖弁カバーのようなケーシング６０の側面から側方に突出した状態で設けられる部材を取り外すことなく、ケーシング６０の第１部分６５ａに形成された切り欠き６０ａから閉鎖弁２３、２４にアクセスすることができるため、閉鎖弁２３、２４の操作等の作業を容易に行うことができる。また、熱源ユニット２の設置スペースや梱包サイズを小さくすることができる。また、冷媒連絡管４、５を閉鎖弁２３、２４の接続ポート２３ｂ、２４ｂに接続することでケーシング６０の背面側に向けて容易に取り出すことができ、冷媒連絡管４、５の取り回し等の作業を容易に行うことができる。
【００６８】
また、ここでは採用していないが、閉鎖弁２３、２４の接続ポート２３ｂ、２４ｂをケーシング６０の正面側に向けて開口させるようにしてもよい。この場合には、閉鎖弁２３、２４をケーシング６０の右前部寄りに配置して、閉鎖弁２３、２４及びその周辺の構造を、前後反対に配置すればよい。
【００６９】
また、ここでは、閉鎖弁２３、２４をケーシング６０の右後部寄りに配置しているが、閉鎖弁２３、２４をケーシング６０の左後部寄りや左前部寄りに配置してもよい。この場合には、熱源ユニット２の内部空間Ｓにおける機器や冷媒管の配置を左右逆にすればよい。
【００７０】
＜Ｂ＞
また、ここでは、周囲板６３〜６６が、ケーシング６０の正面及び背面のうち接続ポート２３ｂ、２４ｂに近いほうの面（ここでは、背面）を形成する第２部分６６ｂの一部（ここでは、右側面寄りの下部）が切り欠かれており、第２部分６５ｂの切り欠き６０ｂが、第１部分６５ａの切り欠き６０ａと連続している（図２、図５及び図７参照）。
【００７１】
ここでは、ケーシング６０の第１部分６５ａ及び第２部分６５ｂにわたって形成された切り欠き６０ａ、６０ｂから閉鎖弁２３、２４の接続ポート２３ｂ、２４ｂにアクセスすることができるため、冷媒連絡管４、５を閉鎖弁２３、２４に接続する作業を容易に行うことができる。
【００７２】
また、閉鎖弁２３、２４の接続ポート２３ｂ、２４ｂを、ケーシング６０の背面側ではなく、正面側に向けて開口させるようにしてもよい。
【００７３】
また、ここでは、周囲板６３〜６６のうち、右側板６５が、第１部分６５ａ及び第２部分６５ｂの両方を形成する第１周囲板を構成しているが、これに限定されるものではない。例えば、周囲板６３〜６６のうち、右側板６５が、第１部分６５ａを形成する第２周囲板を構成し、背面板６６が、第２部分６５ｂを形成する第３周囲板を構成してもよい。
【００７４】
＜Ｃ＞
また、ここでは、ケーシング６０の内部空間Ｓと閉鎖弁２３、２４が配置される閉鎖弁配置空間Ｔとを仕切る空間形成部材７０がケーシング６０に設けられており、第１部分６５ａの切り欠き６０ａが、閉鎖弁配置空間Ｔに面している（図２、図５及び図７参照）。
【００７５】
ここでは、第１部分６５ａの切り欠き６０ａから閉鎖弁配置空間Ｔにアクセスすることができ、閉鎖弁２３、２４の操作等の作業を容易に行うことができる。
【００７６】
また、ここでは、第２部分６５ｂの切り欠き６０ｂも、閉鎖弁配置空間Ｔに面している（図２、図５及び図７参照）。
【００７７】
ここでは、第２部分６５ｂの切り欠き６０ｂからも閉鎖弁配置空間Ｔにアクセスすることができ、閉鎖弁２３、２４の操作等の作業を容易に行うことができる。
【００７８】
＜Ｄ＞
また、ここでは、空間形成部材７０が、閉鎖弁２３、２４を支持する閉鎖弁支持部材７１を有しており、閉鎖弁支持部材７１が、ケーシング６０の正面と閉鎖弁２３、２４との間に位置している（図５及び図６参照）。
【００７９】
ここでは、接続ポート２３ｂ、２４ｂがケーシング６０の背面側に向かって開口するように閉鎖弁２３、２４が配置される場合に、閉鎖弁支持部材７１によってケーシング６０の内部空間Ｓと閉鎖弁配置空間Ｔとを前後方向に仕切ることができる。
【００８０】
また、ここでは採用していないが、接続ポート２３ｂ、２４ｂがケーシング６０の正面側に向かって開口するように閉鎖弁２３、２４が配置される場合には、閉鎖弁支持部材７１が、ケーシング６０の背面と閉鎖弁２３、２４との間に位置させてもよい。
【００８１】
＜Ｅ＞
また、ここでは、空間形成部材７０が、閉鎖弁２３、２４の上方に位置する閉鎖弁上方部材７２を有している（図５〜図９参照）。
【００８２】
ここでは、閉鎖弁上方部材７２によってケーシング６０の内部空間Ｓと閉鎖弁配置空間Ｔとを上下方向に仕切ることができる。
【００８３】
以上、本開示の実施形態を説明したが、請求の範囲に記載された本開示の趣旨及び範囲から逸脱することなく、形態や詳細の多様な変更が可能であることが理解されるであろう。
【産業上の利用可能性】
【００８４】
本開示は、熱交換器を通過する空気を水平方向に吹き出すファンを備えた冷凍装置の熱源ユニットに対して、広く適用可能である。
【符号の説明】
【００８５】
１              空気調和装置（冷凍装置）
２              室外ユニット（熱源ユニット）
２０            室外側電装品アセンブリ（電装品アセンブリ）
２２            室外熱交換器（熱交換器）
２３            液側閉鎖弁（第１閉鎖弁）
２３ｂ          室内側接続ポート（接続ポート）
２４            ガス側閉鎖弁（第２閉鎖弁）
２４ｂ          室外側接続ポート（接続ポート）
２７            室外ファン（ファン）
６０            ケーシング
６０ａ、６０ｂ  切り欠き
６３            正面板（周囲板）
６４            左側板（周囲板）
６５            右側板（周囲板、第１周囲板、第２周囲板）
６５ａ          第１部分
６５ｂ          第２部分
６６            背面板（周囲板、第３周囲板）
７０            空間形成部材
７１            閉鎖弁支持部材
７２            閉鎖弁上方部材
Ｃ              仮想直方体
Ｓ              内部空間
Ｔ              閉鎖弁配置空間
【先行技術文献】
【特許文献】
【００８６】
【特許文献１】特開２００９−２４９０３号公報
【図１】
2019120449.tif 000003
【図２】
2019120449.tif 000004
【図３】
2019120449.tif 000005
【図４】
2019120449.tif 000006
【図５】
2019120449.tif 000007
【図６】
2019120449.tif 000008
【図７】
2019120449.tif 000009
【図８】
2019120449.tif 000010
【図９】
2019120449.tif 000011
【図１０】
2019120449.tif 000012